(57)【要約】【課題】指紋採取発色後に高い発色濃度が得られ、押捺者の手指等にカラーフォーマーを着けることのなく、またカラーフォーマーの特殊な加工や、顕色剤を含んだ特殊な紙を必要とせず普通紙等に容易に指紋採取ができる指紋採取技術を提供する。【解決手段】顕色剤を手指または掌に付着させる工程と、顕色剤が付着した手指または掌を基材に押し当てることにより指紋または掌紋を転写する工程と、指紋または掌紋が転写された基材に前記顕色剤との接触により有色となる液状のカラーフォーマーを接触させることにより指紋または掌紋に沿う発色を行わせる工程と、を備えた。【特許請求の範囲】
【請求項１】
顕色剤を手指または掌に付着させる工程と、顕色剤が付着した手指または掌を基材に押し当てることにより指紋または掌紋を転写する工程と、指紋または掌紋が転写された基材に前記顕色剤との接触により有色となる液状のカラーフォーマーを接触させることにより指紋または掌紋に沿う発色を行わせる工程と、を備えたことを特徴とする指紋採取方法。
【請求項２】
顕色剤を手指または掌に付着させる工程は、指紋または掌紋の隆線部に顕色剤を付着させることを特徴とする請求項１に記載の指紋採取方法。
【請求項３】
顕色剤を手指または掌に付着させる工程は、指紋または掌紋の凹部に顕色剤を付着させることを特徴とする請求項１に記載の指紋採取方法。
【請求項４】
カラーフォーマーとの接触によりカラーフォーマーを無色から有色に発色させる顕色剤を油脂に分散または溶解、あるいは油脂と水に乳化分散させてクリーム状にしたことを特徴とする指紋採取用クリーム状物質。
【請求項５】
カラーフォーマーとの接触によりカラーフォーマーを無色から有色に発色させる顕色剤を液状またはクリーム状にして、これをフィルムシートにしみ込ませてなることを特徴とする指紋採取用フィルムシート。
【請求項６】
液体を含浸する液体含浸体を有し、該液体含浸体に顕色剤との接触により有色となる液状のカラーフォーマーを浸み込ませてなることを特徴とする指紋採取用スタンプ。
【発明の詳細な説明】
【技術分野】
【０００１】
本発明は指紋採取方法および指紋採取に用いる指紋採取用クリーム状物質、指紋採取用フィルムシート、指紋採取用スタンプに関する。
【背景技術】
【０００２】
従来の指紋採取方法としては、朱肉や黒色顔料インク、黒色粉末を指紋面に付着させ、これを上質紙等の所定のシートに押捺する方法が広く知られている。
しかし、この従来の押捺方法は、黒色インクを手指に着けて押印することから、黒インクが手指に残り、押捺者に不快感を与えるものであった。
【０００３】
そこで、最近ではカラーフォーマーと顕色剤の接触による無色から有色への発色反応を用いて、手指を着色させずに指紋を採取する方法が開発されている。
例えば、指先の指紋部に電子供与性染料前駆体（カラーフォーマー）を溶解させた溶液を塗布し、この指先を前記電子供与性染料駆体の吸着により発色反応を呈する電子受容性顕色剤を塗布した記録紙に押捺することを特徴とする指紋像作成方法がある（特許文献１参照）。
【０００４】
また、他の例として以下のものもある。基材上に発色剤層または顕色剤層を有する台紙と、前記台紙上に折り重ね可能に連接された透明保護フィルムと、前記台紙上に折り重ね可能に連接され且つ裏面に顕色剤層または発色剤（カラーフォーマー）層を有するシートとからなる指紋採取用媒体を用いて、前記台紙上に指を押し当てて指紋押捺した後、前記シートを前記台紙の指紋押捺部上に折り重ねることで指紋画像を発色剤と顕色剤との接触反応により発色させることを特徴とする指紋の採取方法（特許文献２参照）。
【０００５】
上記特許文献１，２においては、その実施例または実施の形態においてカラーフォーマーを油に溶解させた溶液をマイクロカプセル化するのが望ましいとしている。
【特許文献１】特開平０８−２９９３０８号公報
【特許文献２】特開２０００−１２６１５９号公報
【発明の開示】
【発明が解決しようとする課題】
【０００６】
カラーフォーマーに顕色剤を接触させて発色を行う原理は、カラーフォーマーと顕色剤を溶け混ぜ合わせることにより、カラーフォーマーの例えばラクトン環を開かせることにより、発色作用を生じさせるというものである。そのため、鮮明な発色を得るためには、カラーフォーマーと顕色剤を確実に溶け混ぜ合わせることが必要である。
【０００７】
しかしながら、特許文献１及び２のいずれのものも、カラーフォーマーを手指に付けてカラーフォーマーを指紋の隆線部に付着させ、このカラーフォーマーを付着させた手指を顕色剤シートに押し付けるというものである。カラーフォーマーを手指の指紋の隆線部に付着させるためには、一定の粘性が必要である。そのため、カラーフォーマーをワックスに溶かして半固体状にして用いるのが通常である。ところが、半固体状のカラーフォーマーを手指につけて顕色剤シートに押し付けたとしても、半固体状のカラーフォーマーと顕色剤とでは界面でしか反応せず、そのため十分な発色が得られない。
【０００８】
また、ラクトン環を開く反応は可逆反応であるため、逆反応が誘引される原因があればラクトン環が閉じて減色作用が起こる。そして、人間の皮脂は前記逆反応を誘引する原因となるため、例えばカラーフォーマーをクリーム状にして容器に入れて、そこに手指を入れてカラーフォーマーを手指に付着させるという方法の場合には、使用回数が増えるにしたがって皮脂がカラーフォーマーに混入して発色作用を阻害するようになる。
【０００９】
この点、特許文献１および２の実施例または実施の形態にあるように、カラーフォーマーをマイクロカプセルに内包して、手指による押圧によってマイクロカプセルを破壊して液状のカラーフォーマーを顕色剤シートに接触させることによって顕色剤とカラーフォーマーの溶け混ざり合いを促進できる。
しかしながら、この場合にはカラーフォーマーをマイクロカプセル化するという特殊な加工技術を必要とし、コストが高くなるという問題がある。
【００１０】
また、特許文献１のものは、カラーフォーマーの吸着により発色反応を呈する電子受容性顕色剤を塗布した記録フィルムという特殊な紙を使用しなければならず、この点でもコストが高くなるという問題がある。
さらに、上記特許文献１に記載のものにおいては、指先にカラーフォーマーを塗布することから、指紋採取時は無色であっても、カラーフォーマーが手指に残留していた場合は、後にカラーフォーマーが酸化発色を起こし、指紋の採取をされた者に不快感を与えるという問題もある。
【００１１】
また、特許文献２のものにおいても、発色剤層を有する台紙に指を押し当てることから、上述した特許文献１の場合と同様に、カラーフォーマーが手指に残留することによる不快感が発生するという問題がある。
さらに、特許文献２のものは、基材上に発色剤層または顕色剤層を有する台紙と、前記台紙上に折り重ね可能に連接された透明保護フィルムと、前記台紙上に折り重ね可能に連接され且つ裏面に顕色剤層または発色剤（カラーフォーマー）層を有するシートとからなる指紋採取用媒体という特殊な台紙を前提としており、特許文献１と同様にコストが高くなるという問題がある。
【００１２】
本発明はかかる課題を解決するためになされたものであり、指紋採取発色後に高い発色濃度が得られ、押捺者の手指等にカラーフォーマーを着けることのなく、またカラーフォーマーの特殊な加工や、顕色剤を含んだ特殊な紙を必要とせず普通紙等に容易に指紋採取ができる指紋採取技術を提供することにある。
【課題を解決するための手段】
【００１３】
上記の課題を解決するために発明者が鋭意検討した結果、液状で顕色剤と溶け混ざり合うことにより発色を得られるカラーフォーマーを手指の指紋の隆線部に付着させる必要から、半固形状にしたりあるいはマイクロカプセル化したりする必要があり、この点が従来の最も大きな問題であると考えた。
そこで、カラーフォーマー側を手指に付着させるという発想を転換して、顕色剤側を手指に付着させ、顕色剤の付着した手指の指紋を転写して、これに液状のカラーフォーマーを接触させるようにすれば、特殊な加工を要さずに高い発色が得られるのではないかとの知見を得た。本発明はかかる知見に基づいてなされたものであり、具体的には以下の構成を有するものである。
【００１４】
（１）本発明に係る指紋採取方法は、顕色剤を手指または掌に付着させる工程と、顕色剤が付着した手指または掌を基材に押し当てることにより指紋または掌紋を転写する工程と、指紋または掌紋が転写された基材に前記顕色剤との接触により有色となる液状のカラーフォーマーを接触させることにより指紋または掌紋に沿う発色を行わせる工程と、を備えたことを特徴とするものである。
【００１５】
（２）また、上記（１）に記載のものにおいて、顕色剤を手指または掌に付着させる工程は、指紋または掌紋の隆線部に顕色剤を付着させることを特徴とするものである。
指紋または掌紋の隆線部に顕色剤を付着させるためには、顕色剤を含むクリーム状物質の粘度を高めに設定すればよい。
【００１６】
（３）また、上記（１）に記載のものにおいて、顕色剤を手指または掌に付着させる工程は、指紋または掌紋の凹部に顕色剤を付着させることを特徴とするものである。指紋または掌紋の凹部に顕色剤を付着させるためには、顕色剤を含むクリーム状物質の粘度を低めに設定すればよい。凹部に顕色剤を付着させて転写した場合は、顕色剤の転写量をより多くすることができ、より高い濃度の指紋像を得ることができる。
【００１７】
（４）また、本発明に係る指紋採取用クリーム状物質は、カラーフォーマーとの接触によりカラーフォーマーを無色から有色に発色させる顕色剤を油脂に分散または溶解、あるいは油脂と水に乳化分散させてクリーム状にしたことを特徴とするものである。
【００１８】
（５）また、本発明に係る指紋採取用フィルムシートは、カラーフォーマーとの接触によりカラーフォーマーを無色から有色に発色させる顕色剤を液状またはクリーム状にして、これをフィルムシートにしみ込ませてなることを特徴とするものである。
顕色剤を液状またはクリーム状にしてフィルムシートにしみ込ませることにより、フィルムシートに手指を押し付けることで顕色剤を容易に手指に付着させることができる。また、フィルムシートは使い捨てにできるので、手指の皮脂に起因する減色の発生を防止できる。
【００１９】
（６）また、本発明に係る指紋採取用スタンプは、液体を含浸する液体含浸体を有し、該液体含浸体に顕色剤との接触により有色となる液状のカラーフォーマーを浸み込ませてなることを特徴とするものである。
カラーフォーマーをスタンプにすることにより、顕色剤によって指紋が転写された基材にスタンプを押し付けることでスタンプの液体含浸体に含浸されたカラーフォーマーを基材に容易に接触させることができ、指紋採取の効率を大きく高めることができる。
【発明の効果】
【００２０】
本発明においては、指紋または掌紋が転写された基材に前記顕色剤との接触により有色となる液状のカラーフォーマーを接触させるようにしたので、顕色剤とカラーフォーマーとが十分に溶け混ざり合うことができ、濃い発色を得ることができる。
また、手指に付けるのが顕色剤であることから、顕色剤が手指に残留していたとしても、後に発色することがなく指紋を採取された者に不快感を与えることもない。
【発明を実施するための最良の形態】
【００２１】
［実施の形態１］
本発明の一実施の形態に係る指紋採取方法は、顕色剤を手指または掌に付着させる顕色剤付着工程と、顕色剤が付着した手指または掌を基材に押し当てることにより指紋または掌紋を転写する転写工程と、指紋または掌紋が転写された基材に前記顕色剤との接触により有色となる液状のカラーフォーマーを接触させることにより指紋または掌紋に沿う発色を行わせる発色工程と、を備えたものである。
以下、各工程および各工程に用いる物について詳細に説明する。
【００２２】
＜顕色剤付着工程＞
本工程に用いる顕色剤は、所定のカラーフォーマーとの接触によりカラーフォーマーを無色から有色に発色させるものであり、電子受容性物質、すなわち無機及び有機のカチオン剤がある。
無機顕色剤の具体例は、モンモリオナイト、カオリン、ベントナイト、酸性白土、活性白土、塩化鉄等の金属塩、等がある。
また、有機顕色剤としては高分子重合体、または芳香族カルボン酸(或いはその金属塩)が用いられる。高分子重合体の例としては、フェノールアルデヒド重合体、フェノールアセチレン重合体、マレイン酸−ロジン樹脂等がある。また、芳香族カルボン酸およびその金属塩については、特開昭55-28847号に示されている、総炭素原子数15以上好ましくは19以上の芳香族カルボン酸、例えば、3、5−ジ(α−メチルベンジル)サリチル酸、3−(α−メチルベンジル)−5−(α、α−ジメチルベンジル)サリチル酸、3、5−ジ−t−プチルサリチル酸、3、5−ジ−(α、α−ジメチルベンジル)サリチル酸、及び、これらとアルミニウム、カルシウム、バリウム、錫、鉄、鉛、亜鉛等の多価金属塩等がある。
【００２３】
本発明の顕色剤として特に好適なものは、無機系カチオン剤及び安全性の高い有機系カチオン剤である。その中でも特に化粧品に使用されているモンモリオナイトが好適である。カラーフォーマーを発色させるための顕色能のみで比較した場合には、他に勝るものはあるが指紋押捺者への安全性と発色のバランスにおいてはモンモリオナイトが特に好適である。また水澤化学製シルトン等感圧紙用顕色剤も好適である。これらの分散型の顕色剤の粒径は、100μｍ以下の粒径が好ましい。特に、5μｍ〜50μｍが最適である。
【００２４】
上記のような顕色剤を手指に付着させるため、これらの顕色剤はインク、クリーム等の形状にして指紋成型基材とされる。
インク状にする場合、顕色剤は、筆記具等汎用のインク同様水または安全性の高い溶剤にバインダー、保存安定剤と共に分散あるいは溶解される。溶剤を用いる場合は安全性の高いひまし油、ホホバオイル、オリーブオイル等の化粧品に使用されるキャリアオイル、パラフィンなどが好適である。特にひまし油が良い。必要に応じて添加剤を添加することができる。
【００２５】
なお、ひまし油等は多価アルコール、グリコール類等と同様カラーフォーマーの発色を減感させる作用を持つが、本発明において、顕色剤が塗布された指紋または掌紋が転写された基材にカラーフォーマー溶液を接触させることにより発色させて採取指紋の画像取り込み処理を行うのに要する期間においては発色の減感及び退色はおこらない。
【００２６】
インク状にした顕色剤を手指等に付着させやすいようにするために、インク状の顕色剤をスタンプ台や印肉等にしみ込ませて使用することができる。この場合において、指紋隆線部にのみインクを付着させる場合は、皮膚の硬さよりスタンプ台または印肉の表面を硬く、平滑度の高い状態にするのが望ましい。具体的には指紋隆線部が接する一番外側の表面メッシュのメッシュサイズを顕色剤の粒径より大きくし、凹部に入り込まない染み出し量にするため、適度なメッシュサイズと適度な硬さのスポンジ台を組み合わせねばならない。具体例としては、平均10μｍのシルトンに対し、スポンジゴムＳＰ−０１とメッシュサイズ１７μｍまたは２４μｍのポリエステルメッシュクロスがある。
【００２７】
顕色剤をクリーム状にする場合、水とワセリン等、寒天等とワセリン等、伯東株式会社製アルカシーガムのような分散安定剤を溶解した溶液とワセリン等の固形油脂または安全性の高い常温で液状の油脂で好適な粘度に乳化されたクリームに保存安定剤と共に顕色剤を分散あるいは溶解して用いる。固形油脂を使用する場合は、それ自体がバインダーとなる。常温で液状の油脂を使用する場合はバインダーが必要である。また、必要に応じ添加剤を添加することができる。
なお、ひまし油同様、水もカラーフォーマーの発色を減感させる作用を持つが、本発明において、顕色剤が塗布された指紋または掌紋が転写された基材にカラーフォーマー溶液を接触させることにより発色させて採取指紋の画像取り込み処理を行うのに要する期間においては発色の減感及び退色はおこらない。
【００２８】
インク状にする場合と同様にクリーム状にした場合も、スタンプ台、印肉の形態にすることができるが、クリームチューブ等の形態にもすることができる。クリーム状にした場合は、粘度を低下させることで指紋凹部にクリームを充填し、隆線部凸部のクリームをガーゼ等で軽く除去することで指紋凹部を成型定着させることができる。
【００２９】
また、上記のように顕色剤をインク状またはクリーム状にした場合には、これらのジェルを秤量の低い安価な紙に塗布、浸透させるなどして容易にシート状にすることができる。
このようなシート状にすることにより、使い捨てにすることができ、不特定多数の押捺者が使用するものにおいても清潔感を向上させることができる。また、シート状にすれば、顕色剤への皮脂混入も防止できる。
【００３０】
＜転写工程＞
転写工程は、顕色剤が付着した手指または掌を基材に押し当てることにより指紋または掌紋を転写する工程である。本実施の形態において使用する基材は、普通に用いられている汎用の紙、フィルムであればよく、特殊な加工を要しない。したがって、従来例に比較してコストを低減できると共に、簡易に指紋採取を行うことができる。
【００３１】
＜発色工程＞
発色工程は、指紋または掌紋が転写された基材に前記顕色剤との接触により有色となる液状のカラーフォーマーを接触させることにより指紋または掌紋に沿う発色を行わせる工程である。
本実施の形態に用いる、所定の顕色剤との接触により有色となる無色透明のカラーフォーマーとしては、電子供与性染料、具体的にはトリフェニルメタン系化合物、ジフェニルメタン系化合物、トリアリールメタン系化合物、フルオラン系化合物、チアジン系化合物、オキサジン系化合物、キサンテン系化合物、スピロビラン系化合物、ラクタム系化合物等がある。具体例としては、例えば、クリスタルバイオレットラクトン、６‘−[エチル（３−メチルブチル）アミノ]−３’−メチルー２‘−(フェニルアミノ)−スピロ[イソベンゾフラン−１（３H）９’−（９H）キサンテン]−３−オン、６‘−(ジエチルアミノ)−２’-[[３−（トリフルオロメチル）フェニル]アミノ]−スピロ[イソベンゾフラン−１（３H）９‘−（９H）キサンテン]−３−オン、3−ジエチルアミノ−6−メチル−7−アニリノフルオラン、ベンゾイルロイコメチレンブル−等がある。
【００３２】
発色工程において、カラーフォーマーは、各種溶剤に溶解され、基材に形成された顕色剤からなる指紋形状に塗布具により塗布またはスプレーにより塗布される。塗布後数秒から数十秒後に発色が開始し指紋が発現する。
カラーフォーマー溶液は、その組成が単純であることから、刷毛、ローラー等により塗布する流動性の高いインキにすることや、スプレー形態にするための高揮発性のインキにすること、あるいはスタンプ形態にするための中粘度から高粘度のインキにすることも可能であり、汎用インキ同様さまざまな形態に容易に加工することができる。
【００３３】
カラーフォーマーを溶解する溶剤は、０．５重量％以上カラーフォーマーを溶解する溶解度のある溶剤であれば特に限定されない。必要に応じて添加剤を添加できる。なお、流動性高くまたは揮発性の高いインキにはアセトン、酢酸エチル、エタノール、ジメチルエーテル等揮発性の溶剤が好適である。
【００３４】
本実施の形態によれば、顕色剤による指紋または掌紋が転写された基材に前記顕色剤との接触により有色となる液状のカラーフォーマーを接触させるようにしたので、顕色剤とカラーフォーマーとが十分に溶け混ざり合うことができ、濃い発色を得ることができる。
また、手指に付けるのが顕色剤であることから、顕色剤が手指に残留していたとしても、後に発色することがなく指紋を採取された者に不快感を与えることもない。
【００３５】
なお、上記の実施の形態においては、指紋採取について説明したが、本技術を利用すれば、従来カラーフォーマーと顕色剤の発色原理を応用し採取できなかったタイヤ接地面形状採取、靴底形状採取等の大形の被採取物の形状採取が可能となる。その理由は以下の通りである。
カラーフォーマーを被採取物に塗布し、顕色紙により発色を得るという従来の技術では大型の採取物に対してコスト面、染料による採取物の汚染の心配、発色再現の困難等の問題で実用は難しかった。しかし、本発明の技術を応用すれば、コスト面は解決され、染料による汚染はなく、顕色剤の塗布厚みを自由に設定できることから発色の再現が可能でありカラーフォーマーの発色原理を用いての大形の被採取物を対象として形状採取を実現できるのである。